(57)【要約】      （修正有）【課題】本発明は、エアーコンディショナーの室内機から吹き出される空気を所望位置に案内すること。【解決手段】エアーコンディショナーの室内機３から吹き出る空気を所望位置に案内する吹出し空気の案内具であって、前記室内機３から吹き出る空気を収容する吹出空気収容部４と、この吹出空気収容部４が収容した空気を室内における所望箇所に案内するため当該吹出空気収容部４に連結されかつ軟性材料からなり、空気を収容すると袋状に変化して空気を通すダクト形成部と、このダクト形成部を壁面６に取り付ける取付治具７とを有し、この取付治具は、弾性材料で形成されるとともに、前記弾性に抗し外力を受けて縮小された状態で前記ダクト形成部内に挿入され、前記外力を解除すると前記ダクト形成部を内部から径方向に拡げる拡径部７１を有することを特徴とする。【選択図】  図１
2008164197.tif 000002
【特許請求の範囲】
【請求項１】
エアーコンディショナーの室内機から吹き出る空気を所望位置に案内する吹出し空気の
案内具であって、
前記室内機から吹き出る空気を収容する吹出空気収容部と、
この吹出空気収容部が収容した空気を室内における所望箇所に案内するため当該吹出空
気収容部に連結されかつ軟性材料でできており、空気を収容すると袋状に変化して空気を
通すダクト形成部と、
このダクト形成部を壁面に取り付ける取付治具とを有し、
この取付治具は、
弾性材料で形成されるとともに、
当該弾性に抗し外力を受けて縮小された状態で前記ダクト形成部内に挿入され、
前記外力を解除すると前記ダクト形成部を内部からその径方向に拡げる拡径部を有する
ことを特徴とする吹出し空気の案内具。
【請求項２】
前記取付治具は、短冊状体をその両端部で結合して環状にしたものであって、
前記拡径部は、当該環状の取付治具に占める割合が前記取付治具の全円周の半分より大
きい優弧部分に相当し、
当該取付治具のうちこの拡径部を除いた部分であって当該取付治具に占める割合が前記
取付治具の全円周の半分より小さい劣弧部分に相当する部分は、平面形状をした平面部と
され、
この平面部を前記壁面に当接させて前記ダクト形成部を壁面に取り付けることを特徴と
する請求項１に記載の吹出し空気の案内具。
【請求項３】
前記平面部は、その長手方向にスライドすることで当該平面部の長さを調整する長さ調
整部を有することを特徴とする請求項２に記載の吹出し空気の案内具。
【請求項４】
前記拡径部と前記平面部との境界部分には、折れ線による境界線が形成されていること
を特徴とする請求項１〜３のいずれかに記載の吹出し空気の案内具。
【請求項５】
前記平面部は、その両端に当該取付治具を壁面に固定するのに用いる固定片を有し、
この固定片は、前記境界線を起点にする一端固定他端自由な片持ち梁状になるように前
記拡径部に型抜きにより画成された舌状とされ、
前記ダクト形成部には、当該固定片を外部に通す通し孔が形成されていることを特徴と
する請求項１〜４のいずれかに記載の吹出し空気の案内具。
【請求項６】
前記固定片は、その先端部が幅広の拡頭部とされるとともに当該固定片の起点側寄りの
適所には山折りにされる折れ線を有することを特徴とする請求項５に記載の吹出し空気の
案内具。
【請求項７】
請求項５又は６に記載の吹出し空気の案内具の前記取付治具を前記ダクト形成部内に入
れた後、
前記固定片をダクト形成部の前記通し孔から外部に出し、
外部において前記折れ線を山折りにして、当該山折り箇所を頂点とする三角突起状に当
該固定片を形成し、
当該三角突起状をした固定片の重ね面のそれぞれの面に前記頂点からの距離を違えてピ
ンを貫通させ、さらに当該ピンを壁面に角度をもって挿すことで、前記ダクト形成部を壁
面に固定することを特徴とする吹出し空気の案内具の取付方法。
【請求項８】
壁面に埋設されたエアーコンディショナーの室内機から吹き出される空気を所望位置に
案内する吹出し空気の案内具であって、
前記室内機の空気吹出口から吹き出る空気を収容する吹出空気収容部と、
この吹出空気収容部が収容した空気を室内における所望箇所に案内するため当該吹出空
気収容部に連結され、かつ軟性材料からなり、空気を収容すると袋状に変化して空気を通
すダクト形成部とを有することを特徴とする吹出し空気の案内具。
【請求項９】
請求項１に記載の吹出し空気の案内具の取付治具であって、
この取付治具は、弾性を有する短冊状体をその両端部で結合して環状にされ、
前記拡径部は、当該取付治具に占める割合が前記取付治具の全円周の半分より大きい優
弧部分に相当し、
当該取付治具のうちこの拡径部を除いた部分であって、当該取付治具に占める割合が前
記取付治具の全円周の半分より小さい劣弧部分に相当する部分は、平面形状をした平面部
とされ、
この平面部はその長手方向にスライドして当該平面部の長さを調整する長さ調整部を有
することを特徴とする吹出し空気の案内具の取付治具。
【請求項１０】
前記拡径部と前記平面部との境界部分には、折れ線による境界線が形成されていること
を特徴とする請求項９に記載の吹出し空気の案内具の取付治具。
【請求項１１】
前記平面部は、その両端に当該取付治具を壁面に固定する固定片を有し、
この固定片は、前記境界線を起点にする一端固定他端自由な片持ち梁状に前記拡径部に
型抜きにより画成された舌状とされ、当該固定片は、その先端部が幅広の拡頭部とされる
とともに当該固定片の起点側の適所に山折りにされる折れ線を有することを特徴とする請
求項１０に記載の吹出し空気の案内具の取付治具。
【発明の詳細な説明】
【技術分野】
【０００１】
本発明は、エアーコンディショナーの室内機から吹き出された空気を所望位置に案内す
る技術に関する。
【背景技術】
【０００２】
ビル，店舗，病院等大抵の建物にはエアーコンディショナーが設置されている。エアー
コンディショナーは、室内に設置される室内機と、屋外に設置され室内機とチューブで接
続されて室内の熱を屋外へ排出する屋外機とを備える。そして、室内における空気の温度
・湿度・清浄度などの調節を行う。
【０００３】
また室内機には、天井や壁等の平面に埋め込んで設置するタイプ、天井から吊すタイプ
、壁に掛けて設置するタイプがある。
このうち、天井に埋め込んで設置するタイプ（以下埋め込みタイプ）の場合、見栄えの
良さや設置スペースの都合によりオフィスや店舗などで普及している。
【０００４】
埋め込みタイプの室内機における普及型は、通常、矩形状をしたフレームパネルの中央
に空気を吸い込む空気吸込口が設けられ、その外周に空気を吹き出す空気吹出口が設置さ
れる。空気吹出口から出る空気の流れる方向を調整することで部屋全体を冷・暖房するよ
うになっている。
【０００５】
ところが、同じ室内でも柱や置物など空気の流れを妨げる障害物があると、同じ室内で
あっても場所によっては温度差を生じる。
【０００６】
そこで、空気吹出口に取り付けられて、空気吹出口から流出する空気の流れ方向を所望
方向に指し向ける指向制御プレートが周知である。しかし、指向制御プレートによって指
向される冷気や暖気の流れは直線的であるため、これらの流れの進行途中に障害物がある
とこれを回避することはできず、所望箇所に冷気や暖気を十分に送れない場合がある。
【０００７】
冷気や暖気の流れが障害物を回避するために空気吹出口から出る冷気や暖気をダクトを
用いて所望箇所に案内することが考えられる。しかし、これまでユーザが容易に設置でき
る簡易なダクトの設置技術はなかった。
【特許文献１】実開平６−４０７５３号公報
【発明の開示】
【発明が解決しようとする課題】
【０００８】
本発明は、このような事項に鑑みてなされたものであり、その解決しようとする課題は
、室内機から冷気や暖気を所望箇所に自在に送ることを簡単に実施することができる技術
を提供することにある。
【課題を解決するための手段】
【０００９】
本発明は、上記課題を解決するために以下の手段を採用した。
（１）すなわち、本発明は、エアーコンディショナーの室内機から吹き出る空気を所望位
置に案内する吹出し空気の案内具であって、前記室内機から吹き出る空気を収容する吹出
空気収容部と、この吹出空気収容部が収容した空気を室内における所望箇所に案内するた
め当該吹出空気収容部に連結されかつ軟性材料でできており、空気を収容すると袋状に変
化して空気を通すダクト形成部と、このダクト形成部を壁面に取り付ける取付治具とを有
し、この取付治具は、弾性材料で形成されるとともに、当該弾性に抗し外力を受けて縮小
された状態で前記ダクト形成部内に挿入され、前記外力を解除すると前記ダクト形成部を
内部からその径方向に拡げる拡径部を有することを特徴とする。
【００１０】
ここでダクト形成部の形成材料である軟性材料とは、例えばポリプロピレンや和紙を例
示できる。また吹出空気収容部は、表面にコーティングが施された紙製のものを例示でき
る。
ダクト形成部が取り付けられる壁面としては、天井や壁等の板壁部分をいう。板壁とは
平滑な面であればその材質は問わない。
取付治具の形成材料である弾性材料としては、例えば厚地のポリプロピレンを例示でき
る。
【００１１】
ダクト形成部は空気を収容すると袋状に変化するので、室内機から吹き出る空気を吹出
空気収容部が収容し、当該収容された空気がダクト形成部に流れてくると、それだけでダ
クト形成部はダクト状に形態変化するが、手指等で押圧して外力を加えて縮小された取付
治具をダクト形成部に挿入し、前記外力を解除すると、取付治具の拡径部がダクト形成部
を内部から径方向に拡げるため、ダクト形成部を通る空気の流通を良好にする。
【００１２】
また、ダクト形成部は軟性材料でできているので、その進行方向に障害物があっても容
易に避けて通ることができる。障害物を避けることができない場合でもダクト形成部は軟
性材料でできており、袋状、すなわち中空である故その形態変化の自由度が高い。このた
め、断面形状を変化させることが容易であるため、例えばダクト形成部を沿わす壁面に何
らかの障害物が存在しても、ダクト形成部をその形態を変化させながら容易に配すことが
できる。
【００１３】
取付治具をその弾性に抗し外力を加えて縮小し、その状態でダクト形成部内に挿入後、
前記外力を解除すると拡径部がダクト形成部を内部から径方向に拡げる。よって、取付治
具は。これをダクト形成部５内に所定の間隔を空けて複数入れておくことで、ダクト形成
部の骨組みとなる。またダクト形成部の中を空気が流通していない状態でも空気を貯め置
いた状態を維持する。よって、ダクト形成部がしぼんでしまいその結果ダクト形成部の外
観が悪くなってしまうことがない。
【００１４】
さらにダクト形成部が膨らんだ状態であれば、しぼんだ状態のダクト形成部を膨らめて
空気の通り路を再び造り直す必要がない。このため、エアーコンディショナーから吹き出
された空気をダクト形成部経由でいち早く所望の箇所へ送ることができる。なお、ダクト
形成部５内に所定の間隔で配置される取付治具７は、直径１５０ｃｍ前後で長さが３００
ｃｍ程度のダクト形成部であれば、６０〜７０ｃｍ程度配置間隔、好ましくは６６ｃｍ前
後のものが好適である。
【００１５】
（２）前記取付治具は、短冊状体をその両端部で結合して環状にしたものであって、前記
拡径部は、当該環状の取付治具に占める割合が前記取付治具の全円周の半分より大きい優
弧部分に相当し、当該取付治具のうちこの拡径部を除いた部分であって当該取付治具に占
める割合が前記取付治具の全円周の半分より小さい劣弧部分に相当する部分は、平面形状
をした平面部とされ、この平面部を前記壁面に当接させて前記ダクト形成部を壁面に取り
付けることを特徴としてもよい。
【００１６】
拡径部は、全円周の半分より大きい優弧部分に相当する弧状部分であるので、拡径部に
よって拡げられるダクト形成部はその内部から径方向に拡げられて横断面で円弧に近い弧
を描く。したがって、ダクト形成部の中を滑らかに空気が流れるようになる。また平面部
が取付治具に占める割合は、前記取付治具の全円周の半分より小さい劣弧部分に相当する
ため、取付治具に平面部が設けられていることに起因して、ダクト形成部において空気の
流れが妨げられることは極めて少ない。また壁面は通常平面であるので、当該壁面に平面
部を当接させ易い。したがって取付治具の壁面への取付けが容易になるとともに安定し、
ダクト形成部の壁面への取付作業が向上する。
【００１７】
（３）平面部は、その長手方向にスライドすることで当該平面部の長さを調整する長さ調
整部を有することが好ましい。
平面部の長さ調整により、優弧部の径の調整が可能となる。したがって、ダクト形成部
の径に併せて平面部の長さ調整を行うことにより、取付治具をダクト形成部の内面にフィ
ットさせることができる。
【００１８】
（４）前記拡径部と前記平面部との境界部分に折れ線による境界線を形成することが好ま
しい。折れ線があることで、拡径部がダクト形成部内で動くようなことがあっても、当該
動きの拡径部側から平面部側への伝達が直接的に伝わることを折れ線が阻止する。したが
って、平面部がその平面状態を維持しやすくなるので、平面部が壁面に安定的に付き、取
付治具を壁面から離れにくくできる。
【００１９】
（５）平面部は、その両端に当該取付治具を壁面に固定するのに用いる固定片を有し、こ
の固定片は、前記境界線を起点にする一端固定他端自由な片持ち梁状に前記拡径部に型抜
きにより画成された舌状とされ、前記ダクト形成部には、当該固定片を外部に通す通し孔
が形成されていることが好ましい。
【００２０】
そして、ダクト形成部内に取付治具を挿入した後、固定片を通し孔に通して外部に出し
、当該固定片を押しピンその他の鋲や接着材を用いて壁面に付ければ、取付治具及びダク
ト形成部を壁面に取り付けることができる。平面部の固定片は、舌状である故、その自由
端をダクト形成部の通し孔に通し易い。したがって作業性が向上する。
【００２１】
（６）前記固定片は、その先端部が幅広の拡頭部とされるとともに当該固定片の起点側寄
りの適所には山折りにされる折れ線を有することが好ましい。
固定片をその折れ線を山折りにして三角突起状にする。そして、三角状突起の固定片の
頂角を鋭角の状態で折ると単片であった固定片は二重重ねの片となり、その分強度が高ま
る。固定片の強度が高まれば、取付治具延いてはダクト形成部が壁面から取れ難くなる。
【００２２】
固定片は舌状であり、当該固定片を前記折れ線を山折りにして三角突起状にすると、固
定片が型抜き孔から出っ張るとともに、拡頭部は、型抜き孔のうち拡頭部が形成されてい
ない部位、すなわち拡頭部よりも幅狭な部位に対向するようになる。
【００２３】
したがって、拡頭部が型抜き孔にあたっても型抜き孔から取付治具の内側（ダクト形成
部の中空内）に入り込むのを防止する。この結果、固定片が型くずれし難くなり三角突起
状であることを維持しやすくなる。固定片が三角突起状であると、固定片を既述のように
その強度を高めた状態でダクト形成部の通し孔から外部に突出させやすくできる。
【００２４】
（７）また本発明は、上記した吹出し空気の案内具の取付方法でもある。当該方法は、前
記取付治具を前記ダクト形成部内に入れた後、前記固定片をダクト形成部の前記通し孔か
ら外部に出し、外部において前記折れ線を山折りにして、当該山折り箇所を頂点とする三
角突起状に当該固定片を形成し、当該三角突起状をした固定片の重ね面のぞれぞれの面に
前記頂点からの距離を違えてピンを貫通させ、さらに当該ピンを壁面に角度をもって挿す
ことで、前記ダクト形成部を壁面に固定することを特徴とする。
【００２５】
本方法によれば、三角突起状にされた固定片は平面部の両端にあるので一対の固定片は
対向関係にある。この状態で、固定片にピンを挿すと山折りにされた固定片はその弾性で
頂角が広がろうとするからそのときの力でピンが壁面に押され、ピンが壁面から抜け難く
なる。したがって取付治具、引いては吹出し空気の案内具の壁面からの抜けが効果的に防
止される。
【００２６】
（８）さらに本発明は、壁面に埋設されたエアーコンディショナーの室内機から吹き出さ
れる空気を所望位置に案内する吹出し空気の案内具でもある。すなわち本発明は、壁面に
埋設されたエアーコンディショナーの室内機から吹き出される空気を所望位置に案内する
吹出し空気の案内具であって、前記室内機の空気吹出口から吹き出る空気を収容する吹出
空気収容部と、この吹出空気収容部が収容した空気を室内における所望箇所に案内するた
め当該吹出空気収容部に連結され、かつ軟性材料からなり、空気を収容すると袋状に変化
して空気を通すダクト形成部とを有することを特徴とする。
【００２７】
（９）また本発明は、吹出し空気の案内具の取付治具でもある。当該取付治具は、弾性を
有する短冊状体をその両端部で結合して環状にされ、前記拡径部は、当該取付治具に占め
る割合が前記取付治具の全円周の半分より大きい優弧部分に相当し、当該取付治具のうち
この拡径部を除いた部分であって、当該取付治具に占める割合が前記取付治具の全円周の
半分より小さい劣弧部分に相当する部分は、平面形状をした平面部とされ、この平面部は
その長手方向にスライドして当該平面部の長さを調整する長さ調整部を有することを特徴
とする。
【００２８】
（１０）前記拡径部と前記平面部との境界部分には、折れ線による境界線が形成されてい
ることを特徴とする。
【００２９】
（１１）前記平面部は、その両端に当該平面部を天井面に固定する固定片を有し、この固
定片は、前記境界線を起点にする一端固定他端自由な片持ち梁状に前記拡径部に型抜きに
より画成された舌状とされ、当該固定片は、その先端部が幅広の拡頭部とされるとともに
当該固定片の起点側の適所に山折りにされる折れ線を有することを特徴とする。
【発明の効果】
【００３０】
本発明にあっては、室内機の空気吹出口に吹出空気収容部を宛がい、ダクト形成部経由
で所望箇所に冷気や暖気を自在かつ簡単に送ることができる。
【発明を実施するための最良の形態】
【００３１】
以下に、本発明を添付した図面に従って詳細に説明する。
図１及び図２に示すように、本実施形態の吹出し空気の案内具１は、天井面に埋設され
たエアーコンディショナーの室内機３の空気吹出口３１から吹き出された空気を収容する
吹出空気収容部４と、吹出空気収容部４が収容した空気を室内における所望箇所に案内す
るため吹出空気収容部４に連結されるダクト形成部５と、ダクト形成部５を天井や壁その
他の壁面６に取り付ける取付治具７とを有する。
【００３２】
吹出空気収容部４は、掃除機のノズル部分に似て脚の短いＴ字形をしており、空気吹出
口３１の形状に合わせて左右に延びる主部４１と、主部４１と一体化されダクト形成部５
と連結する部分である連結部４２とからなる。主部４１も連結部４２もともに厚紙ででき
ており、いずれも外表面にコーティング加工が施されている中空体であり、両者は連通し
ている。
【００３３】
主部４１は、横断面で頂角θ２の直角三角形をした中空の三角柱形状をしている。また
頂角θ２と隣接する位置関係にある辺で斜辺でない隣辺４１ａを含む主面４１１には、室
内機３の空気吹出口３１に吹出空気収容部４を宛がったときに空気吹出口３１から吹き出
した空気を受け入れる収容口４１１ａが形成されている。
【００３４】
また、頂角θ２と対向する位置関係にある対辺４１ｂを含む対面４１２には、前記連結
部４２が連結される連結口４１２ａを有する。
連結部４２は中空四角柱であって、その自由端開口周りにフランジ４２１が形成されて
いる。
【００３５】
ダクト形成部５は、軟性材料でできており、そして、空気を収容すると袋状に変化して
空気を通すが、中に空気が入っていない状態では帯状に長くされ、３メートル前後の長さ
を有する。軟性材料とは、例えばポリプロピレンや和紙を例示できる。
【００３６】
ダクト形成部５の両端は開口され、一方の開口５ａは、吹出空気収容部４の連結部４２
に連結される。当該連結にあたり、図２に示すようにゴムバンド４３が利用される。ゴム
バンド４３は、ダクト形成部５の一方の開口５ａを連結部４２に連結後、連結箇所に巻き
付けられて連結を強固にする。なお当該一方の開口５ａを連結側開口５ａということにす
る。
【００３７】
ダクト形成部５の他方の開口５ｂは、室内機３から吹き出された空気を送りたい所望の
場所における壁面６に取り付けられる。当該取付けにあたっては、次に詳しく述べる取付
治具７を複数用いて行う。連結側開口５ａから吸い込んだ室内機３の空気吹出口３１から
吸い込んだ空気は、他方の開口５ｂから排出されるのでこの開口５ｂのことを排気側開口
５ｂという。
【００３８】
なお、ダクト形成部５には、取付治具７の後述する固定片７１１が通される通し孔５１
１（図１３参照）が、ダクト形成部５の長手方向に等間隔で多数形成されている。
【００３９】
取付治具７は、短冊状体をその両端部で結合して環状にしたものであって（図２，３参
照）、０．７〜１ｍｍの厚みを有する例えばポリプロピレン製の材料板（図示せず）をト
ムソン型を用いて打ち抜き加工したものである。
【００４０】
取付治具７は、上記材料板の有する弾性に抗し、外力を受けて径方向に縮小された状態
でダクト形成部５内に挿入され、前記外力を解除するとそれ自身が拡大することで、ダク
ト形成部５を内部から径方向に拡げる拡径部７１を有する（図３，１８参照）。また、取
付治具７には、短冊状体の両端部を結合してなる平面形状をした平面部７２を有する。拡
径部７１と平面部７２との境界部分には、折れ線による境界線７３が形成されている。境
界線７３は、当該線を頂点とする山折りをするのに用いられる。
【００４１】
拡径部７１は、取付治具７を環状に組付けた状態で、取付治具７に占める割合が、取付
治具７の全円周の半分より大きい優弧部分に相当し、平面部７２は、取付治具のうち拡径
部７１を除いた部分であって、取付治具７に占める割合が、取付治具７の全円周の半分よ
り小さい劣弧部分に相当する部分である。平面部７２を壁面６に当接させた状態でダクト
形成部５を壁面６に取り付けるようになっている。
【００４２】
図２，３に示すように、取付治具７の両端部は、連結部とされ、一方を右連結部といい
、他方を左連結部といい、それぞれ符号７４及び７５で示す。また、右連結部７４と左連
結部７５との間の部分は、両連結部７４，７５を連結することで円弧を描く前記拡径部７
１となる部位である。
【００４３】
右連結部７４は、左連結部７５と連結するための連結孔７４１が中心部に形成されてい
る。そして、連結孔７４１と同軸線上に連結孔７４１を間に挟んでスライド片７４２とス
リット７４３とが右連結部７４の延びる方向に形成されている（図２〜７参照）。
【００４４】
連結孔７４１には、前記連結孔７４１とスライド片７４２とが形成されている同軸線上
に、連結孔７４１の外周から径方向に延びる一対の割溝７４５が形成されている（図６参
照）。割溝７４５の溝幅は、取付治具７の厚みと同じか僅かに大きい。また一対の割溝７
４５の閉塞端同士の間の寸法は、取付治具７の幅寸法と同じか僅かに大きい（図７，８参
照）。
【００４５】
スライド片７４２は、右連結部７４の先端に設けられた一端固定他端自由な片持ち梁状
片である。前記割溝７４５はこのスライド片７４２にまで臨むほど延びている（図６〜８
参照）。スライド片７４２の先端は湾曲されている。
【００４６】
スリット７４３は、スライド片７４２の延びる方向と直交する方向に延びるように形成
されており、その隙間寸法は、取付治具７の厚みと同じか僅かに大きい。スリット７４３
には、左連結部７５の後述するスライド部７５１ｂが挿入できる大きさにされている。
【００４７】
左連結部７５は、右連結部７４と連結するための連結片７５１が先端部に形成されてい
る。そして、連結片７５１と同軸線上にスリット７５３が形成されている。
連結片７５１は、右連結部７４のスライド片７４２の基端となる部分をお椀を伏せたご
とき形状にした下膨部７５１ａと、下膨部７５１ａと一体でかつ同軸上に位置するスライ
ド部７５１ｂとから形成されている。
【００４８】
下膨部７５１ａは、かまぼこの断面形状に似て一縁が先方に突出する円弧状で、これに
対向する縁が直線状をした形状をしている。また直線状をした縁における幅方向両端には
、それぞれ割溝７５５が形成されている（図６〜８参照）。左連結部７５の割溝７５５の
延びる方向と、右連結部７４の割溝７４５の延びる方向とは直交関係にある。さらに一対
の割溝７５５の閉塞端同士の間の寸法は、右連結部７４の連結孔７４１の直径とほぼ同じ
である。そして割溝７５５の溝幅も割溝７４５と同様、取付治具７の厚みと同じか僅かに
大きい。
【００４９】
スライド部７５１ｂは、下膨部７５１ａの上縁中央に突出して形成されており、右連結
部７４のスライド片７４２と同じ形状をしている。
スリット７５３は、スリット７４３と同じ形態で同じ方向に延びる。また、スリット７
５３は、右連結部７４のスライド片７４２が挿入できる大きさにされている。
【００５０】
右連結部７４の連結孔７４１，スライド片７４２，スリット７４３及び左連結部７５の
連結片７５１（同軸上に位置する下膨部７５１ａ及びスライド部７５１ｂを含む），スリ
ット７５３が同軸上に位置する。
【００５１】
取付治具７は組付け前、拡径部７１は、帯状に長い部位である。拡径部７１の両端部に
は、それぞれ取付治具７を壁面に固定するのに用いる固定片７１１を有する。この固定片
７１１は、境界線７３を起点にする一端固定他端自由な片持ち梁状になるように拡径部７
１に型抜きにより画成された舌状とされている。
【００５２】
固定片７１１は、全体が長細い片であり、その先端部は、競技用トラックのごとき幅広
の拡頭部７１１ａにされている。各固定片７１１の拡頭部７１１ａは取付治具７の組付け
前、対向するようにされている（図２参照）。なお、拡頭部７１１ａ以外の部分（拡頭部
７１１ａよりも幅狭な部分）を主片ということにし、符号７１１ｂで示す。主片７１１ｂ
は長四角形状をしている。また、主片７１１ｂにおける起点側（境界線７３側）寄りの適
宜の箇所には、山折りにされる折れ線７１１ｃを有する（図３参照）。そして、拡頭部７
１１ａ寄りの箇所には、谷折りにされる折れ線７１１ｄを有する（図３参照）。
【００５３】
次に図３〜図１２を参照して取付治具７の環状にする手順を説明する。
手順１：取付治具７の両端部である右連結部７４と左連結部７５をそれぞれ両手（図面
では両方の手の親指及び人差し指）でつまみ、両者を近づける（図６参照）。
【００５４】
手順２：右連結部７４の連結孔７４１に左連結部７５の連結片７５１を入れる。このと
き左連結部７５を９０度ねじった状態で入れる（図７参照）。既述のように左連結部７５
の割溝７５５の延びる方向と右連結部７４の割溝７４５の延びる方向とは直交関係にある
ので、左連結部７５を９０度ねじると、左連結部７５の割溝７５５の延びる方向と右連結
部７４の割溝７４５の延びる方向とは同じ方向になる。その状態で右連結部７４の連結孔
７４１に左連結部７５の連結片７５１を入れると、先にスライド部７５１ｂが入り、次に
下膨部７５１ａが入る（図７，８参照）。
【００５５】
既述のように連結孔７４１の外周から径方向に延びる一対の割溝７４５の閉塞端同士
の間の寸法は、取付治具７の幅寸法と同じか僅かに大きい。加えて、下膨部７５１ａの一
縁は、先方に突出する円弧状である。このため、右連結部７４の連結孔７４１に対し、左
連結部７５の連結片７５１を一対の割溝７４５から容易に入れることができる。
【００５６】
手順３：右連結部７４の連結孔７４１に９０度ねじられた状態で左連結部７５を入れた
ら、左連結部７５に加えていた力を抜く。すると取付治具７の有する弾性により左連結部
７５の割溝７５５が右連結部７４の連結孔７４１を縁取る孔縁に沿って移動し、左連結部
７５がこれをねじる前の状態に戻る（図８，９参照）。
【００５７】
手順４：右連結部７４は、そのスライド片７４２を左連結部７５のスリット７５３に入
れ、左連結部７５は、そのスライド部７５１ｂを右連結部７４のスリット７４３に入れる
（図１０参照）。このようにすることで、左連結部７５の連結片７５１が右連結部７４の
連結孔７４１に入った状態で、右連結部７４及び左連結部７５が重なり合った状態となる
。そして相互に他方に対してスライド自在になり、前記平面部７２を構築する（図５参照
）。  
【００５８】
平面部７２は、その長手方向に右連結部７４と左連結部７５とをスライドすることで、
平面部７２の長さを変える（図１１，図５ａ，図５ｂ参照）。よって右連結部７４のスラ
イド片７４２及び左連結部７５のスリット７５３並びに、左連結部７５のスライド部７５
１ｂ及び右連結部７４のスリット７４３を平面部の長さを調整する長さ調整部という。
【００５９】
手順５：固定片７１１を拡径部７１から抜く。拡径部７１１に型抜き孔７１２ができる
。
型抜き孔７１２は、拡頭部７１１ａを形取る拡頭部形成箇所７１２ａと、主片７１１ｂ
を形取る主片形成箇所７１２ｂとを有する（図１７参照）。
【００６０】
次に環状にされた取付治具７を用いてダクト形成部５を壁面（この実施形態では天井）
６に取り付ける手順について述べる。
手順１：取付治具を前記ダクト形成部内に入れる。この時、平面部７２の右連結部７４
と左連結部７５とを相互に他方に対して最も近づくようにスライドさせる（図１２，１３
参照）。
【００６１】
手順２：固定片７１１をダクト形成部５の通し孔５１１から外部に出し、外部において
折れ線７１１ｃ（図３〜５参照）を山折りにして、当該山折り箇所を頂点ｔとする三角突
起状に固定片７１１を形成する（図１４〜１７参照）。
【００６２】
手順３：三角突起状の固定片７１１の重ね面のぞれぞれの面に頂点ｔからの距離を違え
て支持ピン８を貫通させる。図２０では、壁面６に接する上側の一方の重ね面（以下、上
側重ね面という）７１１Ａ及び反対の下側に位置する他方の重ね面（以下、下側重ね面と
いう）７１１Ｂに対し、それぞれ頂点ｔから距離ａ及び距離ａよりも短い距離ｂ離された
箇所に、支持ピン８が壁面６に対し角度θ１をもって挿し込まれている（図１８〜２０参
照）。なお、支持ピン８は、画材用のピンであり、漸次先細りになる円錐状のピン部８１
と支持ピン８の後端に設けられている押部８２とからなる。
【００６３】
このようにして支持ピン８を挿し込むことでダクト形成部５の内部にある取付治具７が
ダクト形成部５の一部を支え留めるようになり、取付治具７は、支持ピン８により壁面６
に固定され、この結果、ダクト形成部５が壁面６である天井に取り付けられる。
【００６４】
上述したような吹出し空気の案内具１にあっては、次の作用効果を奏する。
ダクト形成部５は空気を収容すると袋状に変化するので、室内機３から吹き出る空気を
吹出空気収容部４が収容し、当該収容された空気がダクト形成部５に流れてくると、それ
だけでダクト状に形態変化するが、取付治具７をこれに外力を加えて縮小しダクト形成部
５に挿入し、その後取付治具７から前記外力を解除すると、取付治具７の拡径部７１がダ
クト形成部５を内部からその径方向に拡げるため、ダクト形成部５を通る空気の流通を良
くする。
【００６５】
また、ダクト形成部５は軟性材料でできているので、その進行方向に障害物があっても
容易に避けて通ることができる。障害物を避けることができない場合でもダクト形成部５
は軟性材料でできており、袋状、すなわち中空である故その形態変化の自由度が高い。し
たがって、断面形状を変化させることが容易であるので、例えばダクト形成部５を沿わす
壁面６に何らかの障害物が存在しても、ダクト形成部５をその形態を変化させながら容易
に配すことができる。
【００６６】
取付治具７をその弾性に抗し外力を加えて縮小し、その状態でダクト形成部５内に挿入
後、前記外力を解除すると拡径部７１がダクト形成部５を内部から径方向に拡げるため、
取付治具７をダクト形成部５内に所定間隔をおいて複数入れておくことで、ダクト形成部
５の骨組みとなる。またダクト形成部５の中を空気が流通していない状態でも空気を貯め
置いた状態を維持する。よって、ダクト形成部５がしぼんでしまい、その結果、ダクト形
成部５の外観が悪くなってしまうことがない。さらにダクト形成部５が膨らんだ状態であ
れば、しぼんだ状態のダクト形成部５を膨らめて空気の通り路を再び造り直す必要がない
。このため、エアーコンディショナーから吹き出された空気をダクト形成部経由でいち早
く所望の箇所へ送ることができる。
【００６７】
拡径部７１は、取付治具７の全円周の半分より大きい優弧部分に相当する弧状部分であ
るので、拡径部７１によって拡げられるダクト形成部５はその内部から径方向に拡げられ
て横断面で円弧に近い弧を描く。したがって、ダクト形成部５の中を滑らかに空気が流れ
るようになる。また平面部７２が取付治具７に占める割合は、取付治具７の全円周の半分
より小さい劣弧部分に相当するため、取付治具７に平面部７２が設けられていることに起
因して、ダクト形成部５において空気の流れが妨げられることは極めて少ない。
【００６８】
壁面６は通常平面であるので、壁面６に平面部７２を当接させ易い。したがって取付治
具７の壁面６への取付けが容易になるとともに安定し、ダクト形成部５の壁面６への取付
作業が向上する。
【００６９】
平面部７２の長さ調整により、拡径部７１の径の調整が可能となる。したがって、ダク
ト形成部５の径に併せて平面部７２の長さ調整を行うことにより、取付治具７をダクト形
成部５の内面にフィットさせることができる。このように平面部７２の長さが変化すると
、拡径部７１の径の調整がされるので、平面部７２は拡径部７１の径の大きさを調整する
径調整部ということができる。
【００７０】
拡径部７１と平面部７２との境界部分に折れ線である境界線７３があることで、拡径部
７１がダクト形成部５内で動くようなことがあっても、拡径部７１側から平面部７２側へ
その動きが直接的に伝わることを境界線７３が阻止する。したがって、平面部７２がその
平面状態を維持しやすくなるので、平面部７２が壁面６に安定的に付き、取付治具７を壁
面６から離れにくくできる。
【００７１】
ダクト形成部５内に取付治具７を挿入した後、固定片７１１を通し孔に通したら、固定
片７１１を支持ピン８を用いて壁面６に付ければ、取付治具７及びダクト形成部５を壁面
６に取り付けることができる。平面部７２の固定片７１１は、舌状故、その自由端をダク
ト形成部５の通し孔に通し易い。したがって作業性が向上する。
【００７２】
固定片７１１をその折れ線７１１ｃを山折りにすると、固定片７１１はその長手方向に
対して直交する方向に折れて三角突起状にする。三角状突起の固定片７１１の頂角が鋭角
になるように曲折すると、単片であった固定片７１１は二重重ねの片となり、その分強度
が高まる。固定片７１１の強度が高まれば、取付治具７延いてはダクト形成部５が壁面６
から取れ難くなる。
【００７３】
固定片７１１は型抜きにより舌状に形成されたものであり、当該舌状の固定片７１１を
折れ線７１１ｃで山折りにして三角突起状にすると、固定片７１１を型抜き孔７１２から
出っ張りやすくできるようになるとともに、拡頭部７１１ａは、型抜き孔７１２の主片形
成箇所７１２ｂ、すなわち拡頭部７１１ａよりも幅狭な部位に対向するようになる。なお
拡頭部７１１ａ寄りの箇所において谷折りに形成される折れ線７１１ｄを折ることで、拡
頭部７１１ａが拡径部の外表面に面接触し安定した状態を維持する。
【００７４】
したがって、拡頭部７１１ａが型抜き孔７１２にあたっても型抜き孔７１２から取付治
具７の内側（ダクト形成部５の中空内）に入り込むのを防止する。この結果、固定片７１
１が型くずれし難くなり三角突起状であることを維持しやすくなる。固定片７１１が三角
突起状であると、固定片７１１を既述のようにその強度を高めた状態でダクト形成部５の
通し孔から外部に突出させやすくすることができる。
【００７５】
また折れ線７１１ｃを山折りにして固定片７１１を三角突起状にすると、固定片７１１
を含む取付治具７は元々弾性のあるポリプロピレンでできているので、その弾性で元の舌
状に戻ろうとする内部応力が生じる（換言すると、上側重ね面という７１１Ａ及び下側重
ね面７１１Ｂがもとの状態に伸びようとする力が生じる）が、当該内部応力は、支持ピン
８によって抑制されるので、固定片７１１の山折り状態は維持される。
【００７６】
この時、壁面６に斜めに入っている支持ピン８には、梃子の原理が働き壁面６から抜け
にくくなる。
すなわち。固定片７１１の前記内部応力（特に下側重ね面７１１Ｂに生じる内部応力）
によって、支持ピン８の押部８２が上に押力を受けて梃子の力点になり、支持ピン８が天
井や壁その他の壁面６と交叉する箇所Ｔが支点になり（図２０参照）、支持ピン８のうち
壁面６に入っている部分が作用点になって、壁面６をその内部で下方に押し付けるように
なる（図２０の矢印Ａ参照）。その結果、支持ピン８が壁面６から抜け出るのを防止する
。したがって、取付治具７延いては吹出し空気の案内具１の壁面６からの抜けを固定片一
片あたり一本の支持ピン８で効果的に防止する。固定片７１１は平面部７２を間に挟んで
一対あるので、バランス良く取付治具７を壁面６に固定する。
【００７７】
要するに三角突起状にされた固定片７１１は平面部７２の両端にあるので、一対の固定
片７１１は対向関係にある。この状態で、固定片７１１に支持ピン８を挿すと山折りにさ
れて三角突起状にされた固定片７１１は、その弾性で頂角が広がろうとするからそのとき
の力で支持ピン８が壁面６に押され、支持ピン８が壁面６から抜け難くなる。このため取
付治具７、引いては吹出し空気の案内具１の壁面６からの抜けが効果的に防止される。
【００７８】
このように取付治具７は、その固定片７１１の内部応力（この場合は三角突起状にされ
た固定片７１１が元に戻ろうとする力）と相俟って、支持ピン８が１本であっても、また
、壁面６が、石膏ボードその他、通常では、支持ピン一本では、目的となる物（この場合
,
ダクト形成部５及び取付治具７）を固定しにくい材料でできた壁面であっても、当該壁面
に固定片７１１、延いてはダクト形成部５を取り付けるに十分な保持力を確保することが
できる。
【００７９】
また取付治具７を用いなくてもエアーコンディショナーの室内機３から吹き出る空気を
所望位置に案内することはできる。その場合の形態は、室内機３の空気吹出口３１から吹
き出る空気を収容する吹出空気収容部４と、この吹出空気収容部４が収容した空気を室内
における所望箇所に案内するため吹出空気収容部４に連結されかつ軟性材料からなり、空
気を収容すると袋状に変化して空気を通すダクト形成部５とを有することを特徴とする吹
出し空気の案内具である。
【００８０】
さらに平面部７２において、左連結部７５のスリット７５３に右連結部７４のスライド
片７４２が挿入されること及び右連結部７４のスリット７４３に左連結部７５のスライド
部７５１ｂが挿入されること並びに左連結部７５の連結片７５１が右連結部７４の連結孔
７４１に入ることにより、平面部７２の幅方向へのずれが防止される。
【００８１】
なお、本発明は上述の図示例にのみ限定されるものではなく、本発明の要旨を逸脱しな
い範囲内において種種変更を加え得ることは勿論である。
【図面の簡単な説明】
【００８２】
【図１】本実施形態に係る吹出し空気の案内具の取付け状態を示す全体斜視図である。
【図２】図１の要部拡大図である。
【図３】本実施形態に係る吹出し空気の案内具に含まれる取付治具が展開されている状態の斜視図である。
【図４】本実施形態に係る吹出し空気の案内具に含まれる取付治具を組付けた後の斜視図である。
【図５】図４の要部平面図であって、図（ａ）は、左・右連結部を縮めた場合であり、図（ｂ）は伸ばした状態を示す図である。
【図６】本実施形態に係る吹出し空気の案内具に含まれる取付治具の組付け手順を説明するための図であって、当該取付治具の両端を両手で持って近づけている状態を示す図である。
【図７】図６に連続する図であって、当該取付治具の両端の一方をよじって他方の通し孔に入れ込む直前の状態を示す図である。
【図８】図７に連続する図であって、当該取付治具の両端の一方をよじって他方の通し孔に入れた状態を示す図である。
【図９】図８に連続する図であって、当該取付治具の両端の一方のよじりを元に戻した状態を示す図である。
【図１０】図９に連続する図であって、当該取付治具の両端の差し込み片を相互に相手側の差し込み孔に入れた状態を示す図である。
【図１１】図１０に連続する図であって、当該取付治具の両端の差し込み片を相互に相手側の差し込み孔に一杯に入れて長さ調整部を形成した状態を示す図である。
【図１２】図１１に連続する図であって、取付治具の長さ調整部を親指と人差し指で摘んで取付治具をダクト形成部に入れる直前の状態を示す図である。
【図１３】図１２に連続する図であって、ダクト形成部における取付治具の設置箇所にまで取付治具を移動している状態を示す図である。
【図１４】図１３に連続する図であって、ダクト形成部における取付治具の設置箇所で取付治具の一対ある固定片の一方をダクト形成部の固定片通し孔から出した状態を示す図である。
【図１５】図１４に連続する図であって、ダクト形成部における取付治具の設置箇所で取付治具の一対ある固定片を両辺ともダクト形成部の固定片通し孔から出した状態を示す図である。
【図１６】図１５に連続する図であって、一対ある固定片を折り曲げてピンを通した状態を示す図である。
【図１７】図１６に連続する図であって、固定片に挿されているピンを天井面に挿した状態及びその要部を拡大して示す図である。
【図１８】図１５のXVIII−XVIII線拡大断面図である。
【図１９】図１７の領域のXIX−XIX拡大断面図である。
【図２０】図１９の領域IIXの拡大図である。
【符号の説明】
【００８３】
１  吹出し空気の案内具
３  室内機
３１  空気吹出口
４  吹出空気収容部
４１  主部
４１ａ  隣辺
４１ｂ  対辺
４１１  主面
４１１ａ  収容口
４１２  対面
４１２ａ  連結口
４２  連結部
４２１  フランジ
４３  ゴムバンド
５  ダクト形成部
５ａ  ダクトの吸気側開口
５ｂ  ダクトの排気側開口
５１１  固定片通し孔
６  天井や壁その他の壁面
７  取付治具
７１  拡径部
７１１  固定片
７１１Ａ  一方の重ね面
７１１Ｂ  他方の重ね面
７１１ａ  拡頭部
７１１ｂ  主片
７１１ｃ  山折りにされる折れ線
７１１ｄ  谷折りにされる折れ線
７１２  型抜き孔
７２  平面部
７３  境界線
７４  右連結部
７４１  連結孔
７４２  スライド片
７４３  スリット
７４５  割溝
７５  左連結部
７５１  連結片
７５１ａ  下膨部
７５１ｂ  スライド部
７５３  スリット
７５５  割溝
８  支持ピン
８１  ピン部
８２  押部
Ｔ  支持ピン８が壁面と交叉する箇所
ｔ  三角状突起の頂点
θ１  角度
θ２  頂角
【図１】
2008164197.tif 000003
【図２】
2008164197.tif 000004
【図３】
2008164197.tif 000005
【図４】
2008164197.tif 000006
【図５】
2008164197.tif 000007
【図６】
2008164197.tif 000008
【図７】
2008164197.tif 000009
【図８】
2008164197.tif 000010
【図９】
2008164197.tif 000011
【図１０】
2008164197.tif 000012
【図１１】
2008164197.tif 000013
【図１２】
2008164197.tif 000014
【図１３】
2008164197.tif 000015
【図１４】
2008164197.tif 000016
【図１５】
2008164197.tif 000017
【図１６】
2008164197.tif 000018
【図１７】
2008164197.tif 000019
【図１８】
2008164197.tif 000020
【図１９】
2008164197.tif 000021
【図２０】
2008164197.tif 000022